(57)【特許請求の範囲】
【請求項１】
吸引風を発する電動送風機および集塵室を内蔵する掃除機本体と、前記集塵室に着脱自在に装着され、塵埃を捕集する集塵袋を着脱自在に保持し、回動自在に設けられたハンドルを有したバスケット体と、前記集塵室上方の開口部を覆う開閉自在な集塵蓋と、前記集塵蓋に形成されたリブ体と、を備え、前記バスケット体のハンドルは、前記集塵蓋の開閉動作に連動するように設けられており、前記リブ体は、前記集塵蓋の開動作と連動して、前記バスケット体の前記ハンドルを、前記バスケット体の後方位置から、前方斜め上方の位置へ、持ち上げるように係合して、前記ハンドルを回動させる構成とした電気掃除機。
【請求項２】
ハンドルは、バスケット体の両側面をそれぞれ回動軸を中心に回動する２つの支えリブと、前記２つの支えリブの上端を接続する握り部とから略コの字型に構成され、集塵蓋の開動作の際に、前記集塵蓋に形成されたリブ体は、前記支えリブと握り部の接続部を持ち上げる構成とした請求項１記載の電気掃除機。
【発明の詳細な説明】
【技術分野】
【０００１】
本発明は、集塵袋を収納するバスケット体を備えた電気掃除機に関するものである。
【背景技術】
【０００２】
従来のこの種電気掃除機は、下記特許文献１に記載されているようなものが一般的であった。この一般的な例を、以下に図７を用いて説明する。
【０００３】
従来の電気掃除機において、掃除機本体１の前方には、塵埃を捕集する集塵袋２を収納した集塵室３と、後方側には、吸引風を発する電動送風機４を内蔵した電動送風機室５と
を有している。また、前記集塵室３後方に回動自在に軸支されて前記集塵室３の上面を開閉自在に覆う集塵蓋６と、前記集塵袋２を装着し前記集塵室３に着脱自在に配設されるバスケット体７とが設けられている。また、前記バスケット体７には、持運び用のハンドル８が備えられており、前記バスケット体７の略中央部で回動自在に軸支されている。
【０００４】
前記ハンドル８で、回動自在に軸支されている軸支部９にはコイルバネ１０が配設されており、前記コイルバネ９によって前記ハンドル８の握り部１１は、バスケット体７の略中央部で上方に位置するよう付勢されている。
【特許文献１】特開２００４−２６７６８１号公報
【発明の開示】
【発明が解決しようとする課題】
【０００５】
しかしながら、上記のような電気掃除機の構成では、ハンドル８の握り部１１は、バスケット体７の略中央部で上方に係止されている為、集塵袋２が塵埃で一杯になった時、ハンドル８の握り部９に接触し、集塵袋２の広がりが抑制され、集塵容積が少なくなる恐れがあった。
【０００６】
また、集塵袋２がいっぱいに膨らんだ場合で、集塵袋２を捨てる時、ハンドル８の握り部９は、集塵袋２との間に圧接抵抗が生じ、それに逆らって握り部９を引き出さねばならず取り出し難く、ごみ捨てが面倒であった。
【０００７】
本発明は上記従来の課題を解決するものであって、塵埃を捕集するバスケット体を有する電気掃除機の使用性及び性能の向上を実現することを目的とする。
【課題を解決するための手段】
【０００８】
上記従来の課題を解決するために、本発明の電気掃除機は、吸引風を発する電動送風機および集塵室を内蔵する掃除機本体と、前記集塵室に着脱自在に装着され、塵埃を捕集する集塵袋を着脱自在に保持し、回動自在に設けられたハンドルを有したバスケット体と、前記集塵室上方の開口部を覆う開閉自在な集塵蓋と、前記集塵蓋に形成されたリブ体と、を備え、前記バスケット体のハンドルは、前記集塵蓋の開閉動作に連動するように設けられており、前記リブ体は、前記集塵蓋の開動作と連動して、前記バスケット体の前記ハンドルを、前記バスケット体の後方位置から、前方斜め上方の位置へ、持ち上げるように係合して、前記ハンドルを回動させる構成とした。これにより、集塵蓋の開閉動作と連動してハンドルがバスケットより取り出されるため、集塵蓋を開けるだけの動作で塵埃の溜まったバスケット体を集塵室より取り出す動作が容易となり、ごみ捨てが簡単となる。
【０００９】
また、集塵袋が塵埃で一杯になった時も、通常ハンドルは、バスケット体の後方位置に配置されている為、集塵袋の広がりをハンドルで抑制することなく、集塵容積を効率よく増やすことが可能となる。
【発明の効果】
【００１０】
本発明は、集塵袋を収納するバスケット体を備えた電気掃除機で、集塵容積を効率よく増やすと共に、バスケット体から紙袋を捨てる作業を容易に廃棄することができ、使い勝手の良い電気掃除機を提供するものである。
【発明を実施するための最良の形態】
【００１１】
第１の発明は、吸引風を発する電動送風機および集塵室を内蔵する掃除機本体と、前記集塵室に着脱自在に装着され、塵埃を捕集する集塵袋を着脱自在に保持し、回動自在に設けられたハンドルを有したバスケット体と、前記集塵室上方の開口部を覆う開閉自在な集塵蓋と、前記集塵蓋に形成されたリブ体と、を備え、前記バスケット体のハンドルは、前
記集塵蓋の開閉動作に連動するように設けられており、前記リブ体は、前記集塵蓋の開動作と連動して、前記バスケット体の前記ハンドルを、前記バスケット体の後方位置から、前方斜め上方の位置へ、持ち上げるように係合して、前記ハンドルを回動させる構成としたものである。
【００１２】
これにより、集塵蓋の開閉動作と連動してバスケット体のハンドルが集塵室より取り出されるため、集塵蓋をあけるだけの動作で、塵埃の溜まったバスケット体を取り出すことができ、ゴミ捨てが容易となる。
【００１３】
また、ハンドルは、バスケット体の後方位置から上方位置と移動することより、通常時集塵袋と、ハンドルは干渉することがないので、集塵袋の広がりが妨げられず効率よく集塵容積を増やすことが可能となる。
【００１４】
また、第１の発明は、集塵蓋にリブ体を形成し、前記リブ体は、前記集塵蓋の開動作と連動して、バスケット体のハンドルを、前記バスケット体の後方位置から、前方斜め上方の位置へ、持ち上げるように係合して、回動させる構成としたもので、廉価な構成でハンドルの取出しが可能となる。
【００１５】
第２の発明は、第１の発明のハンドルは、バスケット体の両側面をそれぞれ回動軸を中心に回動する２つの支えリブと、前記２つの支えリブの上端を接続する握り部とから略コの字型に構成され、集塵蓋の開動作の際に、前記集塵蓋に形成されたリブ体は、前記支えリブと握り部の接続部を持ち上げる構成としたもので、集塵袋が塵埃で一杯になった時、集塵室蓋に形成されたリブ体は、集塵袋の広がりを妨げることがなくなり、その結果、効率よく集塵容積を増やすことが可能となる。
【００１６】
（実施の形態１）
本発明の第１の実施の形態におけるバスケット体を搭載した電気掃除機について、図１〜図６を用いて説明する。
【００１７】
図１は本実施の形態における電気掃除機の外観斜視図、図２は同電気掃除機の断面図、図３は同電気掃除機の部分断面図、図４は図３のＡ−Ａ断面図、図５は同電気掃除機からバスケット体のハンドルを取出す時の動作図、図６は同電気掃除機からバスケット体のハンドルを取出した時の斜視図である。
【００１８】
図１、２において、掃除機本体１２は、手元ハンドル１３とホース継ぎ手１４付きのホース１５とを介して延長管１６を連結し、延長管１６に取り付けられ塵埃を吸引する吸込具１７に連通している。また、掃除機本体１２の底面には、枢支された１個の前輪キャスター１８と一対の後輪キャスター１９とを備えている。
【００１９】
この掃除機本体１２は、図２に示すように、下本体２０と上本体２１とで外郭を構成している。この掃除機本体１２の後方側に電動送風機２２が配設されており、電動送風機２２は、吸引風を発するもので、前方を第１サポートゴム２３で支持し、後方を第２サポートゴム２４を介して第１モーターカバー２５と第２モーターカバー２６により支持して、下本体２０に装着し固定するようにしている。
【００２０】
図２、図３で示すように、掃除機本体１２の前方側には、集塵室２７が形成され、集塵室２７上方には、この集塵室２７を覆う集塵蓋２８が配置され、集塵蓋２８は、上本体２１に形成された支軸２９を中心に回動自在に構成されている。
【００２１】
図２〜図４で示すように、集塵室２７内には、上方開放された略箱状に形成された、バ
スケット体３０が、集塵室２７と着脱自在に具備されおり、集塵蓋２８を開くことより、集塵室２７内に具備された、バスケット体３０は、集塵室２７内から取出すことが可能となっている。
【００２２】
このバスケット体３０のホース継ぎ手１４側には、集塵袋３２の口芯３１を装着させる装着部３３が回動自在に係止されている。
【００２３】
また、バスケット体３０の側面から上方後部を覆うように、バスケット体３０を持運ぶハンドル３４が設けられ、ハンドル３４は、バスケット体３０の側面に設けられた回動軸３５を中心に回動可能に構成された２つの支えリブ３９と、前記支えリブの上端を接続する握り部３６とから略コの字型に構成されている。通常は、バスケット体３０を持運ぶハンドル３４の握り部３６は、図２、図３で示すように、バスケット体３０の上方後部に配設されており、集塵袋３２が塵埃で一杯になっても、握り部３６は、集塵袋３２に接しない位置に配設されている。
【００２４】
また、集塵蓋２８の、ホース継ぎ手１４付き側には逆止弁３７が具備されており、その逆止弁３７に集塵袋３２の口芯３１が密着するよう構成されている。
【００２５】
また、図３、図４で示すように、集塵蓋２８の内壁で、ハンドル３４の後方側には、ハンドル３４を、バスケット体３０の後方位置から、前方斜め上方の位置へ、突き上げるように係合するための、断面略角柱のリブ体３８が、掃除機本体１２の長手方向に対して垂直に設けられている。
【００２６】
以上のように構成されたバスケット体３０について、以下その動作、作用を説明する。
【００２７】
図５、図６より、掃除機本体１２より、集塵蓋２８を開ける時、集塵蓋２８に形成されたリブ体３８が、集塵蓋２８の回動により軌跡Ｂのように動作する。集塵蓋２８のリブ体３８が回動することより、リブ体３８は、バスケット体３０を持運ぶハンドル３４の支えリブ３９と握り部３６との接合部に当接し、同時に、回動軸３５を中心に、バスケット体３０の上方後部の位置から、矢印Ｃ方向であるバスケット体３０の上方略中央部の位置に持ち上げられるよう回動される。
【００２８】
上記構成より、集塵蓋２８を開けるだけの動作で、塵埃の溜まったバスケット体３０のハンドル３４は、バスケット体３０の上方略中央部の位置に配設されるため、集塵袋３２に干渉することなく、ハンドル３４の握り部３６を持ってバスケット体３０を集塵室２７から取出すことができ、ゴミ捨て動作が容易となる。
【００２９】
また、バスケット体３０を、集塵室２７にセットする際も同様に、バスケット体３０のハンドル３４は、集塵蓋２８に形成されたリブ体３８に係止され、集塵蓋２８を閉める動作に連動して、ハンドル３４は、バスケット体３０の上方略中央部から自重で、バスケット体３０の上方後部の所定位置にもどり、バスケット体３０を集塵室２７にセットする動作も容易となる。尚、ハンドル３４が自重で容易にバスケット体３０の上方後部の所定位置にもどれるように、バスケット体３０を掃除機本体から取り出す際にも、集塵蓋２８に形成されたリブ体３８でハンドル３４の握り部３６が持ち上げられたときに、支えリブ３９が斜め後方に、少し傾くように構成されている。
【００３０】
また、図２〜図４に示すように、ハンドル取出し手段は、集塵蓋２８に形成されたリブ体３８であることから、廉価な構成でハンドル３４の取出しが可能となる。
【００３１】
また、図４に示すように、集塵蓋２８の内壁で、ハンドル３４の後方側に形成されたリ
ブ体３８は、バスケット体３０の外周と、集塵室２７内壁との間に設けられている。
【００３２】
上記構成より、集塵袋３２が塵埃で一杯になっても、リブ体３８は、集塵袋３２の広がりを抑制することなく集塵室２７内のスペースを有効に活用し集塵容積を増やすことができる。
【００３３】
また、図２〜図４に示すように、リブ体３８は、ハンドル３４の後方側に形成れているため、集塵袋３２が塵埃で一杯になっても、確実にリブ体３８は、集塵袋３２の広がりを抑制することなく、さらに集塵袋３２を損傷させる恐れがなくなる。
【００３４】
また、図５、図６において、集塵蓋２８の内壁で、ハンドル３４の後方側に形成されたリブ体３８の先端を略円弧状４０に形成されている。
【００３５】
上記構成より、集塵蓋２８の開動作と連動される、バスケット体３０のハンドル３４の回動動作に引っ掛かりなくスムーズとなり、且つ、ハンドル３４の損傷を防止することが可能となる。
【００３６】
また、図４〜図６において、集塵蓋２８の内壁で、ハンドル３４の後方側に形成されたリブ体３８の先端の略円弧状４０外周に、外周リブ４１を設けることより、集塵蓋２８の開閉動作と連動するバスケット体３０のハンドル３４は、リブ体３８からずれて外れることなく確実に係止させることができ、安価な構成で集塵蓋２８をあけるだけの動作で、塵埃の溜まったバスケット体３０のハンドル３４を取り出すことが可能となる。
【産業上の利用可能性】
【００３７】
以上のように、本発明は、塵埃を捕集するバスケット体を有する掃除機本体電気掃除機の性能および使用性の向上を実現できる電気掃除機を提供することを目的とする。
【図面の簡単な説明】
【００３８】
【図１】本発明の実施の形態における電気掃除機の全体斜視図
【図２】同電気掃除機の断面図
【図３】同電気掃除機の部分断面図
【図４】図３のＡ−Ａ断面図
【図５】同電気掃除機からバスケット体のハンドルを取出した時の動作図
【図６】同電気掃除機からバスケット体のハンドルを取出した時の斜視図
【図７】従来の掃除機本体の要部断面図
【符号の説明】
【００３９】
１２  掃除機本体
２２  電動送風機
２７  集塵室
２８  集塵蓋
３０  バスケット体
３２  集塵袋
３４  ハンドル
３８  リブ体
４０  略円弧状
４１  外周リブ
【図１】
0005104534.tif 000002
【図２】
0005104534.tif 000003
【図３】
0005104534.tif 000004
【図４】
0005104534.tif 000005
【図５】
0005104534.tif 000006
【図６】
0005104534.tif 000007
【図７】
0005104534.tif 000008